(57)【特許請求の範囲】
【請求項１】
繊維チップのペン先からなる適用装置および布地処理組成物を含む布地処理アプリケータであって、
前記適用装置は０．０５Ｎｍｍ−２〜１０Ｎｍｍ−２の摩擦応力値を有し、
前記布地処理組成物が、過酸化水素、ラジカルスカベンジャー、キレート化剤、アルキルスルフェートもしくはアルキルエトキシスルフェート、少なくとも７０％の水および１％〜４％のブトキシプロポキシプロパノールを含んでなることを特徴とする、布地処理アプリケータ。
【請求項２】
布地から染みを除去する方法であって、前記布地を請求項１に記載の布地処理アプリケータと接触させて布地処理を施すに際し、前記布地から前記布地処理組成物を濯ぎ落とす工程がないことを特徴とする、染み除去方法。
【請求項３】
前記接触が摩擦からなる、請求項２に記載の染み除去方法。
【発明の詳細な説明】
【０００１】    （発明の分野）
本発明は、布地処理組成物のアプリケータ及びその適用に関する。より詳しくは、本発明はキレート化剤及びラジカルスカベンジャー、及びきわめて好ましくは濯ぎ等の後処理を必要としない穏やかな布地処理を可能とする漂白剤を含む持ち運びに便利な布地処理アプリケータに関する。
【０００２】    （発明の背景）
前洗濯適用、後洗濯適用又は新しい染みの適用における携帯染み除去剤は、液体組成物のアプリケータの形態おいても製造物品として既知である。同様に、他の液体組成物の適用の携帯アプリケータは、例えばインク除去の分野において既知である。この分野の先行技術には、以下の文献が挙げられる：
米国特許第５，２８８，４２０号は、固体棒形状で提供される染み除去組成物を開示し、洗濯準備において布地の選択された域に適用され得る。界面活性剤、酵素及びグリコールを含む様々な組成物が開示される。米国特許第３，７４８，２６８号は、特にエアゾール製剤の界面活性剤を含むカーペット及び室内装飾材料用の染み除去組成物を開示している。欧州特許ＥＰ０  ２０５  ９９９号は固体棒形状での洗濯準備組成物の提供を開示している。国際特許第ＷＯ８５／００７８２号は着色流体及びこれらの流体の染み抜き液を含むキットを開示しており、これは衣類を包含する様々な物質において使用され得る。ドイツ特許第ＤＥ２４２２１９１号は、フェルトが挿入されたアプリケータに提供される染み上に使用される溶液を開示している。ドイツ特許第ＤＥ１９５３６７１４号は、ペン形状を採る染み除去流体のアプリケータを開示している。国際特許ＷＯ９９／０２７６９号は、界面活性剤を含む布及び室内装飾材料からの染みを洗浄するための含浸濡れナプキンを開示している。
【０００３】  漂白剤を含むアプリケータは布地処理以外の分野で既知である：米国特許第５，３２４，１３１号は、重点的にインクの染みを取る又は除去するのに使用される液体漂白剤のアプリケータを開示している。このアプリケータはフェルト片又はローラーで提供されてよい。米国特許第５，６１１，６８７号は、例えば歯又は歯茎のための経口流体、及び広域繊維片又はローラーボールを含むアプリケータを開示している。
【０００４】  上述の特許において様々なアプリケータがどのように使用されるべきかの詳細を説明するものはない。各組成物の適用を扱う先行技術文献において、多少の詳細を有するものには以下の文献が挙げられる：
米国特許５，７６５，４０７号は、４つのスポンジを含むその場での染み除去キットを開示しており、満足な結果をもたらすために４段階染み除去工程を教示している。
【０００５】  米国特許第５，１２２，１５８号は、洗濯準備における適用の酵素含有液体洗剤のアプリケータを開示している。このアプリケータは合成プラスチック物質からなる多孔質体を含む。布地への適用中にアプリケータによって起こる摩擦からの熱は、より迅速な酵素反応に寄与すると想定されている。
【０００６】  国際特許第９７／２００９９号は布地の後洗濯処理のアプリケータを開示している。布地の片面に鉄の使用、別の片面に吸収層の使用を包含する２段階工程が教示されている。鉄による熱及び／又は圧力の適用は、粘度等の染みのついた布地の物理的特徴に影響すると考えられている。
【０００７】  米国特許第５，８７２，０９０号は、漂白剤及び界面活性剤を含む布地処理組成物のアプリケータのようなスタンプを開示しており、それはロッキング動作において布地に適用される。この処理は好ましくはテーブル上で行われ、好ましくは布地の下方にある状態で吸収染み除去剤を使用し、温風布乾燥機中で後処理工程が続く。ロッキング作用に対する摩擦作用は、布地損傷を最少化するには不利であると明らかに教示されている。
【０００８】  ヘルマックプロダクツ社（Helmac Products Corporation）によりインターネット上で販売されているヘルマック染み消し（The Helmac Stain Eraser）は、摩擦のためにプラスチックチップを組み込んでいる。使用説明書によるとこの装置は、絹、スエード又は革には推奨されていない。この装置を有する染み除去処理は、染み、又は水による染みの濯ぎ又は湿潤布での吸い取りによる布地処理液体の残渣の除去である後処理段階をさらに必要とする。
【０００９】  染み除去アプリケータの分野においては一般的ではないが、布地処理の他の分野において、漂白剤の使用は非常に一般的であり、漂白剤は洗浄粉末並びに液体洗濯洗剤において見られる。例えば、国際特許９７／０２３３１号は、ラジカルスカベンジャーを含み、付加的にキレート化剤を含む過酸化物漂白剤を開示している。しかしながら、開示された構成成分は洗濯の前処理のみに提供され、洗浄又は少なくとも濯ぎによる後処理を必要としている。国際特許９８／１１１９１号はＡＴＭＰを含む過酸素漂白剤、及び本工程において２つの布地片を互いに摩擦させる、若しくはブラシ又はスポンジを使用することによる本漂白剤を用いる前処理工程の向上を開示している。
【００１０】  本分野において、先行技術に関連する欠点が数多くある：
−染み除去用の布地処理アプリケータにおいて、例えば血液、植物又は赤ワインのような比較的濃色の、特に一般的に発生する染み除去用の漂白剤を使用する利点が現時点で開発されていない。
【００１１】  −これに反して、漂白剤を使用する布地処理は、現時点では典型的には複数段階処理であるために不便であり、布地の事前選択部分の限定が容易ではなく、それ故に染み除去には好適でない。
【００１２】  効果的で機械的な染み除去を可能とする、布地処理組成物のアプリケータを提供するのが本発明の目的である。
【００１３】  無段階の適用を可能とする、布地処理組成物のアプリケータを提供するのが本発明のさらなる目的である。
【００１４】  布地の濯ぎをしない又は他の後処理が指図される場合でさえも、残渣を残さず又は布地損傷を誘導しない、布地処理組成物のアプリケータを提供するのが本発明のよりさらなる目的である。
【００１５】  使用が容易な布地処理組成物のアプリケータを提供するのが本発明のよりさらなる目的である。
【００１６】  保管又は運送が安全で及び便利である、布地処理組成物のアプリケータを提供するのが本発明のその他の目的である。
【００１７】  広範囲の染み及び布地に効率よく使用され得る、布地処理組成物のアプリケータを提供するのが本発明の付加的な目的である。
【００１８】  繊細であって、着色されている布地において安全に使用され得、及び着色が安全である（つまり染料の除去がない）布地処理組成物のアプリケータを提供するのが本発明のさらなる付加的な目的である。
【００１９】  以下の記述で明らかなように、これら及び他の目的は本発明に取り組まれる。
【００２０】    （発明の概要）
本発明は、布地処理組成物のアプリケータ及びその適用に関する。より詳しくは、本発明はキレート化剤及びラジカルスカベンジャー、及び好ましくは穏やかな布地処理、すなわち染料の減色のない処理を可能とし、及び濯ぎ等の後処理を必要としない漂白剤を含む布地処理アプリケータを適切にもたらすことに関する。請求され、そして記載されているものは、適用装置及び布地処理組成物を含む布地処理アプリケータであって、この布地処理組成物はラジカルスカベンジャー及びキレート化剤を含む。さらに請求され及び記載されているものは、濯ぎのない布地処理としてラジカルスカベンジャー及びキレート化剤を含む布地処理組成物の使用である。
【００２１】    （発明の詳細な説明）
本発明に従って、布地処理アプリケータは、キレート化剤及びラジカルスカベンジャー、及び好ましくは漂白剤も含む布地処理組成物を含んで提供される。キレート化剤及びラジカルスカベンジャーの付加により、漂白剤の非存在下でも布地処理アプリケータの洗浄性能を向上させることが分かっているが、それらはさらに漂白剤を安定化させるのに有用であることが分かっている。最も好ましくは、布地処理組成物は、後述で特定化するような漂白剤及び界面活性剤を含む。
【００２２】  本発明による布地処理組成物は任意の方法で使用され、適用され得るが、この組成物は好ましくは以下で述べるアプリケータによって適用され、最も好ましくはペン先を含むアプリケータによって適用される。
【００２３】  さらには、本発明の布地処理組成物は繊細な布地においてさえも濯ぎのない無段階の布地処理を可能とする。使用するのに好ましい方法もまた、さらに以下で述べる。
【００２４】  好ましい組成物
ラジカルスカベンジャー及びキレート化剤を含み、布地処理に使用され得る任意の組成物は、本発明の範囲内である。好ましいのは、布地に優しい組成物であって、特に以下で述べるような染み除去組成物である。
【００２５】  本明細書で使用する時、濯ぎは布地処理手順の一部分として、染み除去段階に続く後処理段階を指す。例えば、濯ぎにおいて、洗濯機における洗浄サイクルの一部分としての濯ぎ、洗浄洗剤（漂白剤を含んでもよい）での処理後の手洗い手順の一部分としての濯ぎ、及び例えば全衣類を浸潤するよるような漂白剤での処理後の濯ぎを包含する。全衣類が濯ぎにかけられてもよいが、濯ぎは衣類の一部分のみの局所化処理でもよい。本明細書で使用する時、濯ぎのない布地処理とは、上述の任意の濯ぎ段階のない布地処理を指す。
【００２６】  本明細書による好ましい布地処理方法は、全衣類が濯ぎにかけられること無しに十分に機能するが、さらにより好ましい布地処理方法は、例えば湿潤布及び水、溶媒等による任意の局所化適用を伴う処理のような任意の流体で任意の局所化後処理無しに十分に機能する。最も好ましいのは濯ぎの無いものである。
【００２７】  好ましい布地処理組成物は、布地が濯がれない際に、処理布地上に目に見える残渣を残さない組成物である。残渣は、以下で述べられる残渣試験方法によって２．５パネルスコア単位未満の評価を受ける際、目に見えないと判断される。好ましい濯ぎのない布地処理組成物は、１．５未満、より好ましくは１．０未満、さらにより好ましくは０．５未満のパネルスコア単位の評価を与える。
【００２８】  理論に拘束されることなく、布地処理組成物によって含まれる漂白剤の保護は、染料除去を避けるために特に重大であると考えられている。さらには、キレート化剤及び特に本明細書において列挙されるキレート化剤は、漂白剤、特に酸素ベースの漂白剤を安定化するのに有用であると考えられている。しかしながら、キレート化剤は完全には漂白剤の分裂を防がないが、ラジカルスカベンジャー、及び好ましくは本明細書に列挙されるラジカルスカベンジャーの存在は、ほぼラジカルであると考えられる漂白剤の分裂構成成分を不活性化し、漂白剤の分解の生長反応をブロックし、したがって分裂漂白剤構成成分等による布地の損傷又は染料の除去を防ぐのを助ける。
【００２９】  さらには、漂白剤の保護もまた布地処理アプリケータの内部に発生するガスを防ぐために重大である。キレート化剤及びラジカルスカベンジャーは、漂白剤が水と酸素ガスに分解するのを防ぐと考えられ、したがって、ガス発生の危険性及び布地処理アプリケータの部分的な酸化の可能性を削減する。酸化は、アプリケータの金属部において特に重大である。金属部は適用装置中、又は金属スプリングを含むバルブのような流れを中断する手段中に存在してよい。さらには、発生するガス自体は調整された布地処理組成物の送出に影響し、又は安全上問題となり得る。
【００３０】  本明細書に開示される布地処理組成物は、非常に異なるｐＨ値を有してよいが、酸性ｐＨ値が好ましく、非常に好ましいｐＨ範囲は約４〜６であり、最も好ましいのは４．５〜５．５である。好ましいｐＨ値は組成物が分解するのを防ぐことで漂白剤を安定化し、したがって、さらには布地の損傷を防ぐのを助けると考えられる。
【００３１】  後述の既知の布地処理に関連する問題の１つは、染み除去組成物は布地表面上において目に見える残渣を残す傾向があるということを指す。そのような残渣は問題であるが、本発明は従来の浸漬又は濯ぎの段階を包含しないため、好ましくは本明細書では回避される。したがって、本明細書中の染み除去組成物は、もっとも好ましくは、各種ポリアクリレートを基にした乳化剤、高分子静電気防止剤、無機ビルダー塩及びその他の残渣成形物質を実質的には含まないべきであり、最終組成物中０．１％〜０．３％、及び、好ましくは０％（本明細書に使用される％は、１００％活性の重量％を示す）の低濃度以外では含むべきではない。組成物中で使用される水は、好ましくは蒸留され、脱イオン化され、又はさもなければ残渣形成物質を含まないとされるべきである。
【００３２】  したがって、本発明の好ましい態様では、処理した布地上に目に見える残渣を残す物質を実質的に含まない染み除去組成物が提供される。これは、好ましい染み除去組成物は高濃度の揮発性材料、好ましくは水を好ましくは９５％、ＢＰＰのような洗浄溶媒を、低いが効果のある濃度、典型的には１％〜４％、好ましくは２％、過酸化水素を１％〜３％、好ましくは２％の濃度、及び界面活性剤を０．１％〜約１％の濃度で含有するように配合されていることを必然的に意味する。このように配合すると、有利なことに、この組成物は懸濁液又はエマルション配合としてよりも、むしろ相安定水溶液として存在する。したがって、このような組成物は、布地上で望ましくない目に見える残渣の形成原因となり得る全ての添加乳化剤、増粘剤、沈殿防止剤等の使用を必要としない。
【００３３】  実際に、全体的な提案としては、染み除去及び全体洗浄及び／又は回復機能を提供するために使用される本明細書中の化学組成物は、その意図された使用において安全で効果的な、かつ上記のように布地上の目に見える残渣が容認できない量で残存しない成分を含む。従来の洗濯洗剤は、典型的には、綿及び綿／ポリエステルブレンドの布製品の十分な洗浄を提供するように配合されているが、本明細書中の組成物は、羊毛、絹、レイヨン、レイヨンアセテートのような布地を安全かつ効果的に洗浄及び回復するように配合されなければならない。さらに、本明細書の組成物は、洗浄される布地からの退色、未固定染料の染み部位からの染料の除去又は移行を最小限にするよう特定的に選択され配合される成分を含む。本明細書において好ましい組成物は、これらの問題を最少化又は防ぐために配合される。
【００３４】  本組成物の染料除去特性は、写真用又は光度用測定、又は単純ではあるが、効果的である目視等級分け試験である以下に記載の染料除去試験を使用して、当該分野で開示される洗浄剤と比較され得る。
【００３５】  前述の考慮に加えて、本明細書で用いられる組成物は、分取が容易で、かつそのままで染み除去アプリケータを使用するのが不便又は難しい程の粘度又は自己接着性がないように配合されるのが好ましい。好ましくは、本明細書に記載の布地処理組成物は、液体布地処理組成物として配合される。１つの代替案としては、それらはゲルとして提供される。本発明による染み除去組成物は以下を含む：
（ａ）漂白剤−本明細書の組成物は、０重量％〜９９．９９重量％、好ましくは０．００１重量％〜７重量％の漂白剤、好ましくは過酸化物漂白剤、最も好ましくは過酸化水素を含む。より好ましい染み洗浄剤は、０．５重量％〜３重量％の過酸化水素を含む。Ｈ２Ｏ２以外の過酸化物源が、本明細書で使用され得ることは認められる。したがって、洗剤分野から既知の様々な過酸、過塩、過漂白剤等が使用できる。しかしながら、そのような材料は高価で、液体製品に配合しにくく、布製品の表面に残り得るものであり、かつ現在の方法で用いられる際、Ｈ２Ｏ２を上回る具体的な利点は何も提供しない。
【００３６】  （ｂ）界面活性剤−本明細書の組成物は、０重量％〜９９．９９重量％、好ましくは０．０５重量％〜５重量％、より好ましくは０．０５重量％〜２重量％のエトキシル化アルコール類又はアルキルフェノール、アルキルスルフェート、Ｎａ４ＡＥＳ、ＮＨ４ＡＥＳ、アミンオキシド、及びこれらの混合物のような界面活性剤を含む。上述のように、範囲の下限が限定されている界面活性剤の使用は、ある種類の染料及び布地に好ましい。典型的には、ＢＰＰ溶媒：界面活性剤の重量比は約１０：１〜約１：１の範囲である。１つの好ましい組成物は、２％のＢＰＰ及び０．３％のＡＥＳを含む。また、例えば、ネオドール（NEODOL）２３６．５であるエトキシル化Ｃ１０〜Ｃ１６アルコールのような非イオン性物質は組成物中においても使用し得る。本明細書において洗浄剤として使用され、及び水性組成物を安定化するアルキルスルフェート界面活性剤は、Ｃ８〜Ｃ１８の第一級（「ＡＳ」；好ましくはＣ１０〜Ｃ１４のナトリウム塩）、並びに分枝鎖及びランダムＣ１０〜Ｃ２０アルキルスルフェート、及び式ＣＨ３（ＣＨ２）ｘ（ＣＨＯＳＯ３Ｍ＋）ＣＨ３及びＣＨ３（ＣＨ２）ｙ（ＣＨＯＳＯ３Ｍ＋）ＣＨ２ＣＨ３のＣ１０〜Ｃ１８の第二級（２，３）アルキルスルフェート類であって、式中ｘ及び（ｙ＋１）は少なくとも７、好ましくは少なくとも９の整数であり、Ｍは特にナトリウムである水溶性陽イオン、並びにオレイルスルフェートのような非飽和型スルフェートである。本明細書で用いるアルキルエトキシスルフェート（ＡＥＳ）界面活性剤は、式Ｒ（ＥＯ）ｘＳＯ３Ｚを有するものとして従来から表現されており、式中、ＲはＣ１０〜Ｃ１６のアルキルであって、ＥＯはＣＨ２ＣＨ２Ｏであって、ｘは１〜１０であり、例えば（ＥＯ）２．５、（ＥＯ）６．５等のような平均値として従来報告される混合物を包含し、Ｚはアンモニウムナトリウム又はマグネシウム（ＭｇＡＥＳ）のような陽イオンである。Ｃ１２〜Ｃ１６アルキルジメチルアミンオキシド界面活性剤もまた用いられ得る。
【００３７】  （ｃ）溶媒−本明細書の組成物は、０重量％〜９９．９９重量％、好ましくは０重量％〜１０重量％のブトキシプロポキシプロパノール（ＢＰＰ）溶媒又は本明細書に記載される他の溶媒を含んでもよい。有機溶媒は本組成物に使用するのに好適である。好ましい染み洗浄剤は、約等量での異性体の混合物として、商業量において入手可能な１〜４％のＢＰＰを含む。異性体及びその混合物は、本明細書中において有用である。異性体の構造を以下に示す：
【化１】
0005355836.tif 000002
他の有用な溶媒は、トルエンスルホネートナトリウム及びクメンスルホネートナトリウムのような向水性物質、エタノール及びイソプロパノール等のような短鎖アルコール類である。それらは溶媒のみとしての組成物又は他の溶媒との結合中に存在し得る。
【００３８】  （ｄ）水−本明細書の好ましい、低残渣組成物は、０重量％〜９９．９９重量％、好ましくは７０重量％〜９９．９９重量％、より好ましくは９０重量％〜９９．９重量％、最も好ましくは９４．０重量％〜９９．０重量％の水及びそれ故に水性溶液を含んでよい。組成物で使用される水は、好ましくは蒸留され、脱イオン化され、又はさもなければ残渣形成物質を含まないようにされるべきである。
【００３９】  （ｅ）キレート化剤
本発明の組成物はキレート剤を含み、本明細書においてもキレート化剤を指す。典型的には、本発明による組成物は、組成物全量の５重量％、好ましくは０．０１重量％〜１．５重量％、及びより好ましくは０．０１重量％〜０．５重量％のキレート化剤又はその混合物を含む。
【００４０】  好適なキレート化剤はホスフェートキレート化剤、アミノカルボキシレートキレート化剤又は他のカルボン酸キレート化剤又は多官能価−置換芳香族キレート化剤、エチレンジアミンＮ，Ｎ−ジコハク酸、クエン酸又はこれらの混合物からなる群から選択されるような、当業者に既知の任意のものであってよい。
【００４１】  キレート化剤は、本発明の組成物において、本明細書の組成物のイオン強度を増加し、それによって様々な表面においてそれらの染み除去及び漂白性能が向上するのが望まれる。キレート剤の存在もまた、特に洗濯前処理適用における布地の引っ張り強度損失及び／又は色損傷を削減するのにも寄与する。実際には、キレート化剤は布地の表面上及び／又はさもなければ過酸化物漂白のラジカル分解に寄与する洗浄組成物（手を加えない又は希釈）中に存在する金属イオンを不活性化する。
【００４２】  本明細書で使用するのに好適なホスホネートキレート剤には、アルカリ金属エタン１−ヒドロキシジホスホネート（ＨＥＤＰ）、アルキレンポリ（アルキレンホスホネート）、並びに、アミノアミノトリ（メチレンホスホン酸）（ＡＴＭＰ）、ニトリロトリメチレンホスホネート（ＮＴＰ）、エチレンジアミンテトラメチレンホスホネート、及びジエチレントリアミンペンタメチレンホスホネート（ＤＴＰＭＰ）を包含するアミノホスホネート化合物が挙げられる。ホスホネート化合物は、その酸性官能基の一部又はすべてにおいて酸形態であるか、又は異なった陽イオンの塩として存在してもよい。本明細書において用いられるのに好ましいホスホネートキレート化剤は、ジエチレントリアミンペンタメチレンホスホネート（ＤＴＰＭＰ）及びエタン１−ヒドロキシジホスホネート（ＨＥＤＰ）である。かかるホスホネートキレート化剤は、商品名デクエスト（DEQUEST）（登録商標）のもとでモンサント（Monsanto）から市販されている。
【００４３】  多官能基−置換芳香族キレート化剤も本明細書の組成物において有用である。米国特許第３，８１２，０４４号（コナー（Connor）ら、１９７４年５月２１日に発行）を参照のこと。酸形態においてこの種類の好ましい化合物は、１，２−ジヒドロキシ−３，５−ジスルホベンゼンのようなジヒドロキシジスルホベンゼンである。
【００４４】  本明細書で使用するのに好ましい生分解性キレート化剤は、エチレンジアミンＮ，Ｎ’−ジコハク酸、又はそのアルカリ金属塩、又はアルカリ土類塩、アンモニウム塩又は置換アンモニウム塩、又はそれらの混合物である。エチレンジアミンＮ，Ｎ’−ジコハク酸、特に（Ｓ，Ｓ）異性体については、米国特許第４，７０４，２３３号（ハートマン（Hartman）及びパーキンス（Perkins）、１９８７年１１月３日）に広く記載されている。エチレンジアミンＮ，Ｎ’−ジコハク酸は、例えば、商品名ｓｓＥＤＤＳ（登録商標）として、パーマー・リサーチ・ラボラトリーズ（Palmer Research Laboratories）より市販されている。
【００４５】  本明細書で使用するのに好適なアミノカルボキシレートには、酸形態、又はアルカリ金属塩、アンモニウム塩、及び置換アンモニウム塩の形態の双方でのエチレンジアミンテトラアセテート、ジエチレントリアミンペンタアセテート、ジエチレントリアミンペンタアセテート（ＤＴＰＡ）、Ｎ−ヒドロキシエチルエチレンジアミントリアセテート、ニトリロトリ−アセテート、エチレンジアミンテトラプロピオネート、トリエチレンテトラアミンヘキサ−アセテート、エタノール−ジグリシン、プロピレンジアミンテトラ酢酸（ＰＤＴＡ）及びメチルグリシンジ酢酸（ＭＧＤＡ）が挙げられる。本明細書に用いるのに特に好適なアミノカルボキシレートは、ジエチレントリアミンペンタ酢酸、プロピレンジアミンテトラ酢酸（ＰＤＴＡ）、及びメチルグリシンジ酢酸（ＭＧＤＡ）であり、プロピレンジアミンテトラ酢酸（ＰＤＴＡ）は、例えばＢＡＳＦ社より商品名トリロンＦＳ（Trilon FS（登録商標））として市販されている。
【００４６】  更に、本明細書で用いられるカルボン酸キレート化剤としてはサリチル酸、アスパラギン酸、グルタミン酸、グリシン、マロン酸又はこれらの混合物が挙げられる。
【００４７】  本明細書で用いるその他のキレート化剤は、以下の式のものである：
【化２】
0005355836.tif 000003
上記において、Ｒ１、Ｒ２、Ｒ３、及びＲ４は、−Ｈ、アルキル、アルコキシ、アリール、アリールオキシ、−Ｃｌ、−Ｂｒ、−ＮＯ２、−Ｃ（Ｏ）Ｒ’、及びＳＯ２Ｒ’’から成る群から独立して選択され、Ｒ’は−Ｈ、−ＯＨ、アルキル、アルコキシ、アリール、及びアリールオキシから成る群から選択され；Ｒ’’はアルキル、アルコキシ、アリール、及びアリールオキシから成る群から選択され；並びにＲ５、Ｒ６、Ｒ７、及びＲ８は−Ｈ及びアルキルから成る群からなる群から独立して選択される。
【００４８】  本明細書で使用するのに特に好ましいキレート化剤は、アミノアミノトリ（メチレンホスホン酸）、ジ−エチレン−トリアミノ−ペンタ酢酸、ジエチレントリアミンペンタメチレンホスホネート、１−ヒドロキシエタンジホスホネート、エチレンジアミンＮ，Ｎ’−ジコハク酸、及びこれらの混合物である。
【００４９】  好ましいキレート化剤もしばしば有機安定化剤と呼ばれるものである。本明細書の組成物もまた、物質等に適合性があり又はそれは好適に配合されるよう組成物の化学的安定性を改善する有機安定化剤を任意に含有する。有機安定化剤は以下の郡から選択され得る：２，６−ジ−第三−ブチルフェノール又は２，６−ジ−第三−ブチル−４−メチルフェノールのようなモノフェノール類；２，２’−メチレンビス（４−メチル−６−第三−ブチルフェノール）又は４，４’−メチレンビス（２，６−ジ−第三−ブチルフェノール）のようなジフェノール類；１，３，５−トリメチル−２，４，６−トリス（３’，５’−ジ−第三−ブチル−４−ヒドロキシベンジル）ベンゼンのようなポリフェノール類；２，５’−ジ−第三−アミルヒドロキノン又は第三−ブチルヒドロキノンのようなヒドロキノン類；Ｎ−フェニル−Ｎ’−（１，３−ジメチルブチル）−ｐ−フェニレンジアミン又はＮ−フェニル−α−ナフチルアミンのような芳香族アミン類；２，２，４−トリメモル−１，２−ジヒドロ−キノリンのようなジヒドロキノリン類；エタン−１−ヒドロキシ−１，１−ジホスホネート及び他の既知のホスフェネート（例えば、米国特許第３，１５９，５８１号；米国特許第３，２１３，０３０号；米国特許第３，４２２，０２１号；米国特許第３，４００，１４８号及び３，４２２，１３７号を参照のこと）、及びこれらの混合物。
【００５０】  有機安定化剤は典型的には組成物中に、０．０１％〜５．０％、より好ましくは０．０５％〜０．５％の濃度で使用される。
【００５１】  本発明による過酸化物漂白剤含有組成物は、さらに全組成物の対して０．５重量％〜５重量％、好ましくは２重量％〜４重量％の式ＨＯ−ＣＲ’Ｒ’’−ＯＨによるアルコールを含んでよく、式中、Ｒ’及びＲ’’は独立してＨ又はＣ２〜Ｃ１０の炭化水素鎖及び／又は環である。この式による好ましいアルコールは、プロパンジオールである。
【００５２】  （ｆ）ラジカルスカベンジャー
本発明の組成物は、ラジカルスカベンジャー又はこれらの混合物を含有する。ラジカルスカベンジャーは、典型的には全組成物の１０重量％まで、及び好ましくは０．００１重量％〜０．５重量％の範囲量で本明細書中に存在する。
【００５３】  本明細書で使用するのに好適なラジカルスカベンジャーには、周知の置換モノ及びジヒドロキシベンゼン及びこれらの類似体、アルキル及びアリールカルボキシレート及びこれらの混合物が挙げられる。本明細書に使用するのに好ましいこのようなラジカルスカベンジャーには、ジ−第三−ブチルヒドロキシトルエン（ＢＨＴ）、ヒドロキノン、ジ−第三−ブチルヒドロキノン、モノ−第三−ブチルヒドロキノン、第三−ブチル−ヒドロキシアニソール、安息香酸及びこれらの誘導体、例えば、トリメトキシ安息香酸（ＴＭＢＡ）、トルイル酸、カテコール、ｔ−ブチルカテコール、ベンジルアミン、１，１，３−トリス（２−メチル−４−ヒドロキシ−５−ｔ−ブチルフェニル）ブタン、ｎ−プロピル−没食子酸又はこれらの混合物のようなアルコキシル化安息香酸等が挙げられ、及び著しく好ましいのはジ−第三−ブチルヒドロキシトルエンである。Ｎ−プロピル−没食子酸のようなラジカルスカベンジャー等は、ニパノックス（Nipanox）Ｓ１（登録商標）のもとでニパラボラトリーズ（Nipa Laboratories）から市販されている。
【００５４】  ラジカルスカベンジャーの存在は、本発明の組成物が任意の洗濯適用、特に洗濯前処理適用において使用される際に、布地の引っ張り強度損失及び／又は色損傷を削減するのに寄与する。
【００５５】  （ｇ）他の任意成分−本明細書の構成成分は、酵素、防腐剤、静電気防止剤、香料、臭気吸収構成成分等を包含する、様々な微量の任意の成分を含んでよい。使用するのであれば、このような任意成分は、洗浄された布地上の残渣に注意を払いながら、典型的には組成物の０．０００１重量％〜１０重量％、より好ましくは０．０１重量％〜２重量％で含まれる。好ましい任意成分は、すなわち以下である：
酵素−その上、本明細書の染み除去組成物における任意の界面活性剤は、さらに洗浄性能を向上させる酵素を含有することができる。リパーゼ、アミラーゼ、及びプロテアーゼ酵素、又はこれらの混合物が使用され得る。もし使用するのであれば、このような酵素は典型的には組成物の、０．００１重量％〜５重量％、好ましくは０．０１重量％〜１重量％で含まれる。リポラーゼ（LIPOLASE）、エスペラーゼ（ESPERASE）、アルカラーゼ（ALCALASE）、サビナーゼ（SAVINASE）及びターマミル（TERMAMYL）（全て例えばノボ（NOVO））、及びマキサターゼ（MAXATASE）及びラピダーゼ（RAPIDASE）（例えば、インターナショナルバイオシンセシス（International Bio-Synthesis）社）のような市販の洗剤酵素が使用され得る。
【００５６】  保存料−本明細書の組成物は０．０００１重量％〜１重量％の濃度で、カトン（KATHON）（登録商標）のような従来の保存料を使用することで倉庫に任意に保存され得る。
【００５７】  静電気防止剤−静電気防止利益が所望とされる際、本明細書で使用される組成物は静電気防止剤を含有し得る。使用するのであれば、このような静電気防止剤は典型的には組成物の少なくとも０．５重量％、典型的には２重量％〜８重量％含まれる。好ましい帯電防止剤には、ナショナルスターチアンドケミカルカンパニー（National Starch and Chemical Company）からのバーサフレックス（VERSAFLEX）１５７、２０７、１００１、２００４、及び７０００として入手可能なスルホネート化ポリマー類シリーズを包含する。
【００５８】  香料−本発明の臭気吸収組成物はまた、布地からの悪臭の除去を示す「香りのシグナル」を、心地よい匂いの形態で任意に提供することができる。香りのシグナルは迅速な香料の香りを提供するように設計され、制圧され、臭気遮蔽成分として使用されるのを設計していない。香料を香りのシグナルとして加えるときは、きわめて低濃度、例えば使用組成物の、０重量％〜０．５重量％の、好ましくは０．００３重量％〜０．３重量％の、より好ましくは０．００５重量％〜０．２重量％の濃度で添加される。
【００５９】  香料はまた、さらに強い匂いとして製品及び界面活性剤に添加され得る。香料の強めの度合いが好ましい場合は、比較的高濃度の香料が添加され得る。任意の種類の香料も本発明の組成物に組み入れることができる。
【００６０】  臭気吸収構成成分−本発明の構成成分は、さらには任意のシクロデキストリンを含む。これは組成物に臭気吸収特性を付与し、特に悪臭を制御するために非活性表面において適用するのに有用である。
【００６１】  本明細書において使用される「シクロデキストリン」という用語は、６〜１２個のグルコース単位を含有する非置換シクロデキストリン、特にα−シクロデキストリン、β−シクロデキストリン、γ−シクロデキストリン及び／又はそれらの誘導体、及び／又はこれらの混合物のような任意の既知のシクロデキストリンを包含する。好ましいシクロデキストリンは、例えば、セレスター（Cerestar）ＵＳＡ社及びワッカーケミカルズ（Wacker Chemicals）社（米国）から入手可能である。
【００６２】  使用条件における使用組成物中のシクロデキストリンの典型的な濃度は、組成物の０．０１重量％〜５重量％、好ましくは０．１重量％〜４重量％、さらに好ましくは約０．２重量％〜約２重量％である。
【００６３】  布地保護剤
布地保護として、本発明の組成物はＡＴＭＰ、つまり以下の式の組成物を含む：
【化３】
0005355836.tif 000004
好ましくは、本明細書の組成物は全漂白組成物の約０．００５重量％〜約５．０重量％、より好ましくは約０．０１重量％〜１．０重量％のＡＴＭＰを含む。
【００６４】  任意の漂白活性化剤−本明細書の過酸化物含有組成物は、任意であるが好ましくはさらに漂白活性化剤を含んでよい。漂白活性化剤によって、本明細書では過酸を形成する過酸化水素と反応する化合物を意味する。従って、過酸は活性化された漂白剤を構成する。特に好ましいのは、アセチルトリエチルシトレートである。存在する場合、前記漂白活性化剤は、典型的には全組成物の約０．５重量％〜約２０重量％、好ましくは２重量％〜１０重量％、最も好ましくは３重量％〜７重量％で含まれる。
【００６５】  本明細書で好適な漂白活性化剤は、ＮＯＢＳ（ノナノイルオキシベンゼンスルホネート）、ＴＡＥＤ（テトラアセチルエチレンジアミン）、又はＡＴＣ（アセチルトリエチルシトレート）に代表される任意の既知の活性化剤である。複数の他の漂白活性化剤が既知である。例えば、米国特許第４，９１５，８５４号、及び米国特許第４，４１２，９３４号（マオ（Mao）ら、１９９０年４月１０日発行）で参照される活性化剤を参照のこと。他の典型的な従来の活性化剤については米国特許第４，６３４，５５１号も参照のこと。また、以下の式のアミド由来漂白活性化剤も既知である：Ｒ１Ｎ（Ｒ５）Ｃ（Ｏ）Ｒ２Ｃ（Ｏ）Ｌ又はＲ１Ｃ（Ｏ）Ｎ（Ｒ５）Ｒ２Ｃ（Ｏ）Ｌであって、式中、Ｒ１は約６〜約１２の炭素原子を含有するアルキル基であって、Ｒ２は１〜約６の炭素原子を含有するアルキレンであって、Ｒ５はＨ又は、約１〜約１０の炭素原子を含有するアルキル、アリール、又はアルカリールであって、及びＬは任意の好適な遊離基である。上式の漂白活性化剤のさらなる例示には、（６−オクタンアミド−カプロイル）−オキシベンゼンスルホネート、（６−ノナンアミドカプロイル）オキシベンゼンスルホネート、（６−デカンアミドカプロイル）オキシベンゼンスルホネート、及びこれらの混合物が挙げられ、米国特許第４，６３４，５５１号に記載されている。
【００６６】  漂白活性化剤のその他の部類には、米国特許第４，９６６，７２３号（ホッジ（Hodge）ら、１９９０年１０月３０日発行）に開示されているベンゾキサジン性の活性化剤が含まる。漂白活性化剤のさらにその他の部類には、置換及び非置換ベンゾイルカプロラクタム、ｔ−ブチル−ベンゾイルカプロラクタム、ｎ−オクタノイルカプロラクタム、３，５，５−トリメチルヘキサノイルカプロラクタム、ノナノイルカプロラクタム、デカノイルカプロラクタム、ウンデセノイルカプロラクタム、オクタノイルバレロラクタム、デカノイルバレロラクタム、ウンデセノイルバレロラクタム、ノナノイルバレロラクタム、３，５，５−トリメチルヘキサノイルバレロラクタム、ｔ−ブチル−ベンゾイルバレロラクタム及びこれらの混合物のようなアシルラクタム活性化剤が挙げられる。
【００６７】  本明細書で有用な好ましい漂白活性化剤は、アセチルトリエチルシトレート、ｎ−オクタノイルカプロラクタム、３，５，５−トリメチルヘキサノイルカプロラクタム、ノナノイルカプロラクタム、デカノイルカプロラクタム、ｎ−オクタノイルバレロラクタム、３，５，５−トリメチルヘキサノイルバレロラクタム、ノナノイルバレロラクタム、デカノイルバレロラクタム、ニトロベンゾイルカプロラクタム、ニトロベンゾイルバレロラクタム、及びこれらの混合物から成る群から選択されるものが挙げられる。特に好ましいのは、室温で液体又は油である漂白活性化剤である。液体漂白活性化剤の例は、アセチルトリエチルシトレート、ｎ−オクタノイルカプロラクタム、３，５，５−トリメチルヘキサノイルカプロラクタム、ノナノイルカプロラクタム、デカノイルカプロラクタム、及びこれらの混合物である。本組成物は、フェニルベンゾエート、ピロホスフェートナトリウム及びオルトホスフェートナトリウムのようなアリールベンゾエートを任意に含むことができる。
【００６８】  ビルダー−洗剤ビルダーは鉱物の硬度を調整するのを援助をするために、任意に本明細書の組成物に包含され得る。有機ビルダー並びに無機ビルダーを用いることができる。ビルダーは典型的には、粒子状の汚れを落とす援助をするため、布地洗濯組成物の中に用いられる。
【００６９】  ビルダーの濃度は組成物の最終用途及び所望の物理的形態によって幅広く変化することができる。存在するとき、組成物は典型的には、少なくとも約０．１％のビルダーを含む。
【００７０】  本発明の目的に好適な有機洗浄性ビルダーには、多種多様なポリカルボキシレート化合物が挙げられるが、これに拘束されない。本明細書で使用するとき、「ポリカルボキシレート」は、複数のカルボキシレート基、好ましくは少なくとも３つのカルボキシレート基を有する化合物をいう。ポリカルボキシレートビルダーは一般に酸形態で組成物に添加することができるが、中和された塩又は「高塩基性」の形態で加えることもできる。塩形態で利用する場合、ナトリウム、カリウム、及びリチウムのようなアルカリ金属、又はアルカノールアンモニウム塩が好ましい。
【００７１】  ポリカルボキシレートビルダー類の中に包含されるのは種々の部類の有用な物質である。ポリカルボキシレートビルダーの重要な部類の１つには、米国特許第３，１２８，２８７号（バーグ（Berg）、１９６４年４月７日発行）、及び米国特許第３，６３５，８３０号（ランバーチ（Lamberti）ら、１９７２年１月１８日発行）に開示されたようなオキシジスクシネートを包含するエーテルポリカルボキシレートが挙げられる。米国特許第４，６６３，０７１号（ブッシュ（Bush）ら、１９８７年５月５日発行）の「ＴＭＳ／ＴＤＳ」ビルダーも参照のこと。好適なエーテルポリカルボキシレートには、米国特許第３，９２３，６７９号；米国特許第３，８３５，１６３号；米国特許第４，１５８，６３５号；米国特許第４，１２０，８７４号及び米国特許第４，１０２，９０３号に記載されたもののような環式化合物、特に脂環式化合物も挙げられる。
【００７２】  他の有用な洗浄性ビルダーには、エーテルヒドロキシポリカルボキシレート、エチレン又はビニルメチルエーテルとの無水マレイン酸のコポリマー、１，３，５−トリヒドロキシベンゼン−２，４，６−トリスルホン酸、及びカルボキシメチルオキシコハク酸、ニトリロトリ酢酸のようなポリ酢酸の様々なアルカリ金属塩、アンモニウム塩及び置換アンモニウム塩、並びにメリト酸、コハク酸、オキシジコハク酸、ポリマレイン酸、ベンゼン１，３，５−トリカルボン酸、カルボキシメチルオキシコハク酸のようなポリカルボキシレート類、及びこれらの可溶性の塩が挙げられる。
【００７３】  シトレートビルダー類、例えば、クエン酸及びこれらの可溶性の塩（特にナトリウム塩）は、その再生可能な資源からの利用性及びその生分解性によって特に重要なポリカルボキシレートビルダーである。オキシジスクシネート類はまたかかる組成物及び組み合わせにおいて特に有用である。
【００７４】  また、本発明の洗剤組成物で好適なのは、米国特許第４，５６６，９８４号（ブッシュ（Bush）、１９８６年１月２８日発行）で開示されている３，３−ジカルボキシ−４−オキサ−１，６−ヘキサンジオエート及び関連する化合物である。有用なコハク酸ビルダーには、Ｃ５から〜Ｃ２０のアルキルコハク酸及びアルケニルコハク酸及びこれらの塩が挙げられる。スクシネートビルダーの具体例には、ラウリルスクシネート、ミリスチルスクシネート、パルミチルスクシネート、２−ドデセニルスクシネート（好ましい）、２−ペンタデセニルスクシネート等が挙げられる。ラウリルスクシネートがこの群の好ましいビルダーであり、欧州特許出願８６２００６９０．５／０，２００，２６３（１９８６年１１月５日公開）に記載されている。
【００７５】  その他の好適なポリカルボキシレートは、米国特許第４，１４４，２２６号（クルチフィールド（Crutchfield）ら、１９７９年３月１３日発行）、及び米国特許第３，３０８，０６７号（ディール（Diehl）、１９６７年３月７日発行）に開示されている。米国特許第３，７２３，３２２号も参照のこと。
【００７６】  脂肪酸、例えば、Ｃ１２〜Ｃ１８のモノカルボン酸は、付加的なビルダー活性を提供するために、単独又は上述のビルダー、特にシトレート及び／又はスクシネートビルダーとの組み合わせによっても組成物に組み込まれることができる。脂肪酸のこのような使用は一般に、配合者による思慮を必要とする可能性のある洗濯用組成物における起泡の減少を招く。
【００７７】  リンを基にしたビルダーを使用することができる場合、特に手による洗濯操作においては、周知のトリポリホスホネートナトリウム、ピロホスフェートナトリウム及びオルトホスフェートナトリウムのような様々なアルカリ金属ホスフェート類を用い得る。キレート化剤又は安定剤として一般にさらに低い濃度で用いられるが、エタン−１−ヒドロキシ−１，１−ジホスホネート及び他の既知のホスホネートのようなホスホネートビルダー（例えば、米国特許第３，１５９，５８１号；米国特許第３，２１３，０３０号；米国特許第３，４２２，０２１；米国特許第３，４００，１４８及び米国特許第３，４２２，１３７号を参照のこと）も用いることができる。
【００７８】  無機又はリン含有洗浄性ビルダーには、ポリホスフェート類（トリポリホスフェート類、ピロホスフェート類、及びガラス状の高分子メタ−ホスフェート類が例示される）、ホスホネート類、フィチン酸、シリケート類、カーボネート類（ビカーボネート類及びセスキカーボネート類を含む）、スルフェート類、及びアルミノシリケート類のアルカリ金属、アンモニウム及びアルカノールアンモニウム塩が挙げられるが、これに限定されない。
【００７９】  高分子汚れ放出剤−当業者に既知の任意の高分子汚れ放出剤も、本発明の組成物及び方法に任意に使用され得る。高分子汚れ放出剤は、ポリエステル及びナイロンのような疎水性の繊維の面を親水性にする親水性の部分、及び疎水性の繊維上に沈着し、洗浄並びに濯ぎサイクルの完了までそこに付着したままであり、従って親水性のセグメントにとってアンカーとして働く疎水性の部分の両方を有することを特徴とする。このため、汚れ放出剤による処置の結果として染みが自然に浮かび、その後の洗浄手順において、染みはより容易に洗浄され得る。
【００８０】  本明細書に有用な高分子汚れ放出剤は特に、以下を有する汚れ放出剤が挙げられる：
（ａ）以下を本質的に含有する１つ以上の非イオン性親水性構成成分：
（ｉ）少なくとも２つの重合度を持つポリオキシエチレン部分、又は
（ｉｉ）２〜１０の重合度を持つオキシプロピレン部分又はポリオキシプロピレン部分、その際、前記親水性物質部分は、エーテル結合により互いに隣接した部分に結合しなければ、いかなるオキシプロピレン単位も包含しない、又は
（ｉｉｉ）オキシエチレン及び１〜約３０のオキシプロピレン単位を含むオキシアルキレン単位の混合物、その際、親水性物質成分が汚れ放出剤をかかる表面に沈着した際、従来のポリエステル合成繊維表面の親水性を高めるのに十分な親水性を有するように、前記混合物が十分量のオキシエチレンを含有し、前記親水性物質部分が好ましくは少なくとも約２５％のオキシエチレン単位及びさらに好ましくは、約２０〜３０のオキシプロピレン単位を有する成分については特に、少なくとも約５０％のオキシエチレン単位を含む；又は
（ｂ）以下を含む１以上の疎水性物質成分：
（ｉ）Ｃ３のオキシアルキレンテレフタレート部分、その際、前記疎水性物質成分もオキシエチレンテレフタレートを含み、オキシエチレンテレフタレート：Ｃ３のオキシアルキレンテレフタレート単位の比が約２：１以下である、
（ｉｉ）Ｃ４〜Ｃ６のアルキレン又はオキシＣ４〜Ｃ６のアルキレン部分、又はその中の混合物、
（ｉｉｉ）少なくとも２の重合度を有するポリ（ビニルエステル）部分、好ましくはポリビニルアセテート）、又は
（ｉｖ）Ｃ１〜Ｃ４のアルキルエーテル又はＣ４のヒドロキシアルキルエーテル置換基、又はその中の混合物、その際、前記置換基は、Ｃ１〜Ｃ４のアルキルエーテル又はＣ４のヒドロキシアルキルエーテルセルロース誘導体、又はその中の混合物の形態で存在し、かかるセルロース誘導体は両性物質であり、それによってそれらが十分な濃度のＣ１〜Ｃ４のアルキルエーテル及び／又はＣ４のヒドロキシアルキルエーテル単位を有し、従来のポリエステル合成繊維表面に沈着し、十分な濃度のヒドロキシルを保持して、いったんかかる従来の合成繊維表面に付着すると繊維表面の親水性を高めるものを有する、又は（ａ）と（ｂ）の組み合わせである。
【００８１】  典型的には、（ａ）（ｉ）のポリオキシエチレン部分は、高い濃度を用いることができるが、約１〜約２００、好ましくは３〜約１５０、さらに好ましくは６〜約１００の重合度を有する。好適なオキシＣ４〜Ｃ６アルキレン疎水性部分には、限定はしないが、ＭＯ３Ｓ（ＣＨ２）ｎＯＣＨ２ＣＨ２Ｏ−のような高分子汚れ放出剤の末端キャップが挙げられ、式中、Ｍはナトリウムであって、ｎは４〜６の整数であり、米国特許第４，７２１，５８０号（ゴスリンク（Gosselink）、１９９８年１月２６日発行）に記載されている。
【００８２】  本発明で有用な高分子汚れ放出剤にはまた、ヒドロキシエーテルセルロース性ポリマー、エチレンテレフタレート又はプロピレンテレフタレートのポリエチレンオキシド又はポリプロピレンオキシドテレフタレートとのコポリマーブロック、などのようなセルロース性誘導体も挙げられる。このような試剤は市販されており、ダウ（Dow）のメトセル（METHOCEL）のようなセルロースのヒドロキシエーテルが挙げられる。本明細書で使用するためのセルロース性汚れ放出剤には、Ｃ１〜Ｃ４のアルキル及びＣ４のヒドロキシアルキルセルロースから成る群から選択されるものも挙げられ、米国特許第４，０００，０９３号（ニコル（Nicol）ら、１９７６年１２月２８日発行）を参照のこと。
【００８３】  ポリ（ビニルエステル）疎水性部分を特徴とする汚れ放出剤には、ポリ（ビニルエステル）のグラフトコポリマー類、例えば、Ｃ１〜Ｃ６のビニルエステル類、好ましくは、ポリエチレンオキシド骨格鎖のようなポリアルキレンオキシド骨格鎖にグラフトされたポリ（ビニルアセテート）が挙げられる。欧州特許出願第０  ２１９  ０４８号（クド（Kud）ら、１９８７年４月２２日公開）を参照のこと。この種の市販の汚れ放出剤には、例えばバスフ（BASF）（西ドイツ）より入手可能なソカランＨＰ−２２（SOKALAN HP-22）のようなソカラン（SOKALAN）型の物質が挙げられる。
【００８４】  好ましい汚れ放出剤の１つの種類は、エチレンテレフタレート及びポリエチレンオキシド（ＰＥＯ）テレフタレートのランダムブロックを有するコポリマーである。この高分子汚れ放出剤の分子量は、約２５，０００〜約５５，０００の範囲である。米国特許第３，９５９，２３０号（ヘイズ（Hays）、１９７６年５月２５日発行）、及び米国特許第３，８９３，９２９号（バサダール（Basadur）、１９７５年７月８日発行）を参照のこと。
【００８５】  その他の好ましい高分子汚れ放出剤は、９０重量％〜８０重量％のポリオキシエチレンテレフタレート単位と共に重量で１０重量％〜１５重量％のエチレンテレフタレート単位を含有し、平均分子量３００〜５，０００のポリオキシエチレングリコールに由来するエチレンテレフタレート単位の反復単位を持ったポリエステルである。このポリマーの例には、市販されている物質であるゼルコン（ZELCON）５１２６（デュポン（Dupont）より）及びミリアーゼＴ（MILEASE T）（ＩＣＩより）が挙げられる。米国特許第４，７０２，８５７号（ゴスリンク（Gosselink）、１９８７年１０月２７日発行）も参照のこと。
【００８６】  その他の好ましい高分子汚れ放出剤は、テレフタロイル及びオキシアルキレンオキシの反復単位のオリゴマーエステル骨格鎖及び骨格鎖に共有結合する末端部分から成る実質的に線状のエステルオリゴマーのスルホン化生成物である。このような汚れ放出剤は、米国特許第４，９６８，４５１号（Ｊ．Ｊ．シェイベル（Scheibel）及びＥ．Ｐ．ゴスリンク（Gosselink）、１９９０年１１月６日発行）に完全に記載されている。その他の好適な高分子汚れ放出剤には、米国特許第４，７１１，７３０号（ゴスリンク（Gosselink）ら、１９８７年１２月８日に発行）のテレフタレートポリエステル類、米国特許第４，７２１，５８０号（ゴスリンク（Gosselink）、１９８８年１月２６日発行）のオリゴマーエステル類のアニオン性末端キャップ、及び米国特許第４，７０２，８５７号（ゴスリンク（Gosselink）、１９８７年１０月２７日発行）のブロックポリエステルオリゴマー化合物が挙げられる。
【００８７】  好ましい高分子汚れ放出剤には、米国特許第４，８７７，８９６号（マルドナド（Maldonado）、１９８９年１０月３１日発行）の汚れ放出剤も挙げられ、それは、アニオン性で、特にスルホアロイルで末端キャップしたテレフタレートエステルを開示している。
【００８８】  さらにその他の好ましい汚れ再汚染防止剤は、テレフタロイル単位、スルホイソテレフタロイル単位、オキシエチレンオキシ及びオキシ−１，２−プロピレン単位の反復単位を持つオリゴマーである。反復単位はオリゴマーの骨格鎖を形成し、好ましくは、改良されたイセチオネートの末端キャップで終了する。この種類の特に好ましい汚れ放出剤は、約１つのスルホイソフタロイル単位、５つのテレフタロイル単位、約１．７〜約１．８の比のオキシエチレンオキシとオキシ−１，２−プロピレンオキシ単位、及びナトリウム２−（２−ヒドロキシエトキシ）−エタンスルホネートの２つの末端キャップ単位を含む。前記汚れ放出はまた、オリゴマーの約０．５重量％〜約２０重量％の好ましくはキシレンスルホネート、クメンスルホネート、トルエンスルホネート、及びそれらの混合物から成る群から選択される結晶低減安定剤も含む。米国特許第５，４１５，８０７号（ゴスリンク（Gosselink）ら、１９９５年５月１６日発行）を参照のこと。
【００８９】  利用する場合、汚れ放出剤は、一般に約０．０１重量％〜１０．０重量％、典型的には約０．１重量％〜約５重量％、好ましくは約０．２重量％〜約３重量％の本明細書の洗剤組成物を含む。
【００９０】  さらなる任意の洗剤成分−即席組成物に任意で包含される洗剤成分又は添加剤は、洗浄性能の向上、洗浄される基材の処理、又は組成物の審美性を改善する意図を助ける１つ以上の物質を包含する。このような物質はさらに、米国特許第３，９３６，５３７号（バスカービル（Baskerville）ら）に例示されている。従来技術で確立された使用濃度（一般的に０％〜約２０％、好ましくは約０．５％〜約１０％の洗剤成分）にて本明細の組成物に包含することができる添加物には、ＢＡＳＦ社（BASF Corp）又はローム＆ハス（ Rohm & Haas）の分散ポリマーのような他の活性成分；抗曇剤及び／又は抗腐食剤、染料、充填剤、殺菌剤、向水性物質、酵素安定剤、香料、可溶化剤、粘土汚れ除去剤／再付着防止剤、キャリア、加工助剤、顔料、溶媒、布地柔軟剤、静電気制御剤等が挙げられる。
【００９１】  移染阻害剤−本発明の組成物は、洗浄工程中に一方の染められた表面からもう一方の表面に染料が移行するのを阻害するのに効果的な１つ以上の物質を包含してもよい。一般に、このような移染阻害剤には、ポリビニルピロリドンポリマー類、ポリアミンＮ−オキシドポリマー類、Ｎ−ビニルピロリドン及びＮ−ビニルイミダゾールのコポリマー類、マンガンフタロシアニン、過酸化物類、並びにそれらの混合物が挙げられる。使用する場合、このような防止剤は典型的に、組成物の約０．０１重量％〜約１０重量％、好ましくは約０．０１重量％〜約５重量％、さらに好ましくは約０．０５重量％〜約２重量％含まれる。
【００９２】  さらに具体的には、本明細書で使用するのに好ましいポリアミンＮ−オキシドポリマー類は、以下の構造式を有する単位を含有する：
Ｒ−Ａｘ−Ｐ；
式中、ＰはＮ−Ｏ基を結合することができる、又はＮ−Ｏ基が重合可能単位の一部を形成することができる、又はＮ−Ｏ基が双方の単位に結合することができる重合可能単位であり；
Ａは以下の構造の１つであり：
−ＮＣ（Ｏ）−、−Ｃ（Ｏ）Ｏ−、−Ｓ−、−Ｏ−、−Ｎ＝；
ｘは０又は１であり；
且つ、ＲはＮ−Ｏ基の窒素が結合することができる又はＮ−Ｏ基がこれらの基の一部である脂肪族、エトキシル化脂肪族、芳香族、複素環又は脂環族基、又はその組み合わせである。好ましいポリアミンＮ−オキシドは、Ｒがピリジン、ピロール、イミダゾール、ピロリジン、ピペリジン、及びこれらの誘導体などの複素原基のものである。
【００９３】  Ｎ−Ｏ基は以下の一般構造で表すことができる。
【化４】
0005355836.tif 000005
上記において、Ｒ１、Ｒ２、Ｒ３は、脂肪族、芳香族、複素環又は脂環族基又はその組み合わせであり；ｘ、ｙ及びｚは０又は１であり、Ｎ−Ｏ基の窒素は、前述の基のいずれかに結合することができるか又はその一部を形成することができる。ポリアミンＮ−オキシドのアミンオキシド単位はｐＫａ＜１０、好ましくはｐＫａ＜７、さらに好ましいｐＫａ＜６を有する。
【００９４】  形成されるアミンオキシドポリマーが水溶性であり、染料の移行を抑制する特性を有する限り、いかなるポリマー骨格鎖を用いることもできる。好適なポリマー骨格鎖の例は、ポリビニル類、ポリアルキレン類、ポリエステル類、ポリエーテル類、ポリアミド、ポリイミド類、ポリアクリレート類及びそれらの混合物である。
【００９５】  このようなポリマーには、１つのモノマー型がアミンＮ−オキシドで、もう１つのモノマー型がＮ−オキシドであるランダムコポリマー類又はブロックコポリマー類が挙げられる。アミンＮ−オキシドポリマーは典型的に、１０：１〜１：１，０００，０００のアミン対アミンＮ−オキシドの比率を有する。しかしながら、ポリアミンオキシドポリマーに存在するアミンオキシド基の数は、適当な共重合又はＮ−酸化の適当な程度によって変えることができる。ほとんどいかなる程度の重合においてもポリアミンオキシド類を得ることができる。典型的に、平均分子量は、５００〜１，０００，０００、さらに好ましくは１，０００〜５００，０００、さらに好ましくは５，０００〜１００，０００の範囲内である。この好ましい部類の物質を「ＰＶＮＯ」ということができる。本明細書の洗剤組成物で有用な最も好ましいポリアミンＮ−オキシドは、ポリ（４−ビニルピリジン−Ｎ−オキシド）であり、その平均分子量は約５０，０００であり、アミン対アミンＮ−オキシドの比は約１：４である。
【００９６】  Ｎ−ビニルピロリドンポリマーとＮ−ビニルイミダゾールポリマーのコポリマー（「ＰＶＰＶＩ」としての部類と言われる）も本明細書で使用するのに好ましい。好ましくはＰＶＰＶＩの平均分子量は５，０００〜１，０００，０００、更に好ましくは５，０００〜２００，０００、最も好ましくは１０，０００〜２０，０００の範囲である。（平均分子量の範囲は、バース（Barth）らの「化学分析（Chemical Analysis）」、１１３巻、「現代のポリマー特性決定方法（Modern Methods of Polymer Characterization）」に記述された光散乱法により測定する。）ＰＶＰＶＩコポリマーは典型的に、１：１〜０．２：１、さらに好ましくは０．８：１〜０．３：１、最も好ましくは０．６：１〜０．４：１のＮ−ビニルイミダゾール対Ｎ−ビニルピロリドンのモル比を有する。このようなコポリマーは直鎖又は分枝鎖であってもよい。
【００９７】  本発明の組成物は、約５，０００〜約４００，０００、好ましくは約５，０００〜約２００，０００、さらに好ましくは約５，０００〜約５０，０００の平均分子量を有するポリビニルピロリドン（「ＰＶＰ」）を用いてもよい。洗剤分野ではＰＶＰは当業者に既知であり、例えば、参考文献として本明細書に組み込まれる欧州特許出願第Ａ２６２，８９７号及び欧州特許出願第Ａ２５６，６９６号を参照のこと。ＰＶＰを含有する組成物は、平均分子量、約５００〜約１００，０００、好ましくは約１，０００〜約１０，０００を有するポリエチレングリコール（「ＰＥＧ」）を含有することもできる。好ましくは、洗浄溶液に提供されるＰＥＧとＰＶＰの比率はｐｐｍを基準にして約２：１〜約５０：１、さらに好ましくは約３：１〜約１０：１である。
【００９８】  起泡促進剤−高い起泡が所望であれば、Ｃ１０〜Ｃ１６のアルカノールアミドのような起泡促進剤を、典型的には１％〜１０％の濃度にて組成物に組み込むことができる。Ｃ１０〜Ｃ１４のモノエタノール及びジエタノールアミドはこのような起泡促進剤の典型的な部類を例示する。上述のようなアミンオキシド、べタイン及びスルタイン類のような高い起泡添加界面活性剤と共にこのような起泡促進剤を使用することも有利である。所望であれば、付加的な起泡を提供し、油脂除去性能を向上するために、ＭｇＣｌ２、ＭｇＳＯ４等のような可溶性マグネシウム塩も、例えば０．１％〜２％の濃度で加えることができる。
【００９９】  光沢剤−本明細書の洗剤組成物の、典型的には約０．０５重量％〜約１．２重量％の濃度で布地処理又は洗濯の為に設計される際、当該分野において既知の任意の光学的光沢剤、蛍光増白剤又は他の光沢又は増白剤が即席組成物に組み込まれ得る。本発明で有用である市販の光学的増白剤は、必ずしも限定はしないが、スチルベンの誘導体、ピラゾリン、クマリン、カルボン酸、メチンシアニン、ジベンゾチオフェン−５，５−ジオキシド、アゾール、５−及び６−員の複素環光沢剤含むサブグループに分類することができ、この列挙は例示であって限定ではない。このような増白剤の例は、Ｍ．ザラディニック（Zahradnik）著、「蛍光増白剤の製造及び適用」（The Production and Application of Fluorescent Brightening Agents）（ニューヨークのジョン・ウイリー＆サンズ（John Wiley & Sons）により１９８２年出版）に開示されている。
【０１００】  本組成物で有用な光学的光沢剤の具体例は、米国特許第４，７９０，８５６号（ウィクソン（Wixon）、１９８８年１２月１３日発行）で同定されるものである。これらの光沢剤は、ベローナ（Verona）のフォルライト（PHORWHITE）シリーズ光沢剤を包含する。この参考文献に開示され他の光沢剤には以下が挙げられる：
チバガイギー（Ciba-Geigy）から入手可能なチノパール（Tinopal）ＵＮＰＡ、チノパール（Tinopal）ＣＢＳ及びチノパール（Tinopal）５ＢＭ；
イタリアにあるヒルトン−デービス（Hilton-Davis）から入手可能なアーティックホワイト（Artic White）ＣＣ及びアーティックホワイト（Artie White）ＣＷＤ；
２−（４−スチリル−フェニル）−２Ｈ−ナフトール［１，２−ｄ］トリアゾール；
４，４’−ビス−（１，２，３−トリアゾール−２−イル）−スチル−ベン；
４，４’−ビス（スチリル）ビスフェニル類；
及びアミノクマリン。
【０１０１】  これらの光沢剤の特定の例には、
４−メチル−７−ジエチル−アミノクマリン；
１，２−ビス（−ベンジミダゾール−２−イル）エチレン；
２，５−ビス（ベンゾオキサゾール−２−イル）チオフェン；
２−スチリル−ナフ−［１，２−ｄ］オキサゾール；
及び２−（スチルベン−４−イル）−２Ｈ−ナフト−［１，２−ｄ］トリアゾールが挙げられる。米国特許第３，６４６，０１５号（ハミルトン（Hamilton）、１９７２年２月２９日発行）も参照のこと。アニオン性光沢剤は、本明細書において典型的に好ましい。
【０１０２】  漂白剤触媒−所望であれば、本明細書の組成物は漂白又は汚れ除去をさらに改善するための触媒又は促進剤に組み込まれてよい。任意の好適な漂白剤触媒が使用され得る。水中で約１，０００〜約５，０００の総濃度において使用される洗剤組成物において、組成物は典型的には約０．１ｐｐｍ〜７００ｐｐｍ、より好ましくは約１ｐｐｍ〜約５０ｐｐｍ以下の洗浄液体中の触媒種を提供する。
【０１０３】  典型的な漂白触媒は、例えば金属配位リガンドは非常に不安定化に対して耐性があり、典型的には洗浄におけるアルカリ性条件のもと、金属オキシド又は水酸化物を任意に認められる程度には沈澱しない遷移金属錯体を含む。このような触媒は、米国特許第５，２４６，６２１号、米国特許第５，２４４，５９４号、米国特許第５，１９４，４１６号、米国特許第５，１１４，６０６号、及び欧州特許第５４９，２７１  Ａ１号及び欧州特許第５４４，４４０  Ａ２号、及び欧州特許第５４４，４９０  Ａ１号に開示されているマンガンを基にした触媒を包含し；これらの触媒の好ましい例としては、ＭｎＩＶ２（μ−Ｏ）３（ＴＡＣＮ）２−（ＰＦ６）２−、ＭｎＩＩＩ２（μ−Ｏ）１（μ−ＯＡｃ）２（ＴＡＣＮ）２（ＣｌＯ４）２、ＭｎＩＶ４（μ−Ｏ）６（ＴＡＣＮ）４（ＣｌＯ４）４、ＭｎＩＩＩＭｎＩＶ４−（μ−Ｏ）１（μ−ＯＡｃ）２−（ＴＡＣＮ）２−（ＣｌＯ４）３、ＭｎＩＶ−（ＴＡＣＮ）−（ＯＣＨ３）３（ＰＦ６）、及びこれらの混合物が挙げられ、ここで、ＴＡＣＮはトリメチル−１，４，７−トリアザシクロノナン又はマクロサイクルの等価物であって；あるいは金属配位リガンド並びに単核錯体も可能であるが、モノ金属並びにジー及びポリ金属体及び鉄又はルテニウムのような金属錯体が本範囲内にある。その他の金属をベースとした漂白触媒には、米国特許第４，４３０，２４３号、及び米国特許第５，１１４，６１１号に開示されているものが挙げられる。漂白を増進するために、多様な錯体リガンドのあるマンガンを使用することは、米国特許第４，７２８，４５５号、米国特許第５，２８４，９４４号、米国特許第５，２４６，６１２号、米国特許第５，２５６，７７９号、米国特許第５，２８０，１１７号、米国特許第５，２７４，１４７号、米国特許第５，１５３，１６１号、及び米国特許第５，２２７，０８４号にも報告されている。
【０１０４】  遷移金属は、金属選択、その酸化状態及びリガンドの密度機能にて選択される好適なリガンド供与体と原位置で前錯体化又は錯体化されてよい。本明細書に包含される他の錯体は、米国特許出願第０８／２１０，１８６号（１９９４年３月１７日発行）のものである。
【０１０５】  ラジカルスカベンジャー及びキレート化剤、好ましくは漂白剤を含む染み除去組成物は、多種類の染みを処理するのに効果的である。様々な皮脂染みは、界面活性剤で処理されるのが最良であるのに対し、植物、トマトソース又はワインのような他の一般的な染みは漂白剤で処理するのが最良であり、水溶性の染みは通常水で効果的に除去され得ることが既知である。
【０１０６】  染み除去組成物を参照すると、本明細書に開示されている組成物は例えば漂白及び／又は染みの付いていない布地の衛生ような他の状況において好ましく使用される。
【０１０７】    （実施例）
染み除去組成物の実施例
前述の理由を十分考慮して、以下に染み除去組成物の好ましい実施例を例示するが、これらに限定されるものではない。
【０１０８】  実施例１
【表１】
0005355836.tif 000006
【０１０９】  実施例２
【表２】
0005355836.tif 000007
【０１１０】  アプリケータ
布地処理組成物を含むアプリケータ及び適用装置は本発明の範囲内である。本明細書による好ましいアプリケータは、使用される布地上の特定の摩擦を引き起こす適用装置を含む。これは効果的な染みの除去を大きく助ける。
【０１１１】  本明細書で使用するとき、適用装置は、使用時に布地処理アプリケータが使用される表面に接触し、布地表面に布地処理組成物を提供する装置である。好ましい適用装置には、任意のフェルト、不織布物質、スポンジ又は、例えば多孔質パッドの形状、及び最も好ましくはペン先の形状のような発泡体挿入が挙げられる。その他の好ましい適用装置はローラーボールである。他に好ましい適用装置は、例えば万年筆に使用されるような、紙への筆記流体の適用に使用される全てのものである。ティッシュ又は濡れナプキンアプリケータにおける全ティッシュ又は濡れナプキンは適用装置によって包含される。布地処理組成物が固体棒で提供される場合、全固体棒は適用装置によって包含される。１つの適用装置のみを有するアプリケータは、最も好ましくはペン先であるのが好ましい。
【０１１２】  理論に拘束されることなく、染み除去に関する適用装置の機能は布地上の適用装置によって引き起こされる摩擦に大きく影響されると考えられている。重ねて、理論に拘束されることなく、摩擦挙動は摩擦応力に関して記載されるのが最良であると考えられる。摩擦応力値は、実接触域の単位当たりの参照布地上にかけられる力として定義され、以下のように測定する。
【０１１３】  適用装置の摩擦応力は、染みに侵食するために及び／又は布地の任意の選択された域上又は中に布地処理組成物を提供するために、使用者に提供される機械的なエネルギーが布地に移送される効率の指針として特に重要である。低摩擦応力に示されるものとして、適用装置が非効果的である際、使用者に供給されるエネルギーは、例えば適用装置自体の変形又は分解によるような他の方法において分散される。
【０１１４】  適用装置の摩擦応力、σは以下のように定義される：
【数１】
0005355836.tif 000008
式中、Ｆは摩擦力であり、Ａは接触域であり、μは摩擦係数であって、及びＲは通常の負荷の反応である。以下で詳述される方法で測定される摩擦応力値は、０．０５Ｎｍｍ−２を超えるものが有利に示され、より好ましい摩擦応力値は０．０５Ｎｍｍ−２〜１０Ｎｍｍ−２であって、さらにより好ましくは０．１Ｎｍｍ−２〜１Ｎｍｍ−２及び最も好ましくは０．２Ｎｍｍ−２〜０．４Ｎｍｍ−２である。
【０１１５】  一般的には、全アプリケータは本発明の範囲内である。特定のアプリケータの選択は、使用構想に大きく依存する。例えば、所望の摩擦応力を提供するティッシュ又は濡れナプキンアプリケータが選択されてよい。このようなティッシュ又は濡れナプキンは、個別で梱包されて良く、又は複数で一緒に梱包されてもよい。好ましくは、このような梱包は本明細書に開示される組成物の蒸発を防ぐ。
【０１１６】  好ましいアプリケータは、組成物を保管する貯蔵器を含むハウジングを含む。このようなハウジングは、任意の形状又は大きさのビンであってよい。このようなハウジングの好ましい形状は中空樽形状であって、最も好ましくは使用者の手で持つのに、使用する及び保管するのに便利なように、１：３０〜１：２の直径長さ比を有する。より好ましいのは１：２０〜１：５の直径長さ比のハウジングであって、例えばボールペン又は蛍光ペンのようなペンに類似する形状であり、本明細書中ではペン形状と示される。貯蔵器は、詰め物又は必要に応じて液体を放出できるインクペンに一般的に見られるもののようなカートリッジ型のような吸収性物質で充填されてよい。ハウジングは、ガラス又は任意のプラスチック物質のような可撓性である任意の固体物質で出来ていてよい。好ましい物質はポリプロピレンである。
【０１１７】  適用装置は好ましくはハウジングを含み、最も好ましい１つの適用装置は最も好ましくはペン先を含む。好ましくは、適用装置も適用装置に布地処理組成物を最も便利に提供することが可能な貯蔵器と液体中で連動する。本発明の１つの好ましい実施形態においては、布地処理組成物の貯蔵器は置換可能なカートリッジ形状で提供される。
【０１１８】  このようなペン先は、典型的には一般的に子供の着色ペン又は蛍光ペンに見られるような繊維チップのペン先である。本発明によるペン先は、好ましくは単一開口部又は布地処理組成物を提供する経路を含まない。このような開口部又は経路は、布地処理組成物の非常に調整された提供を可能としない。
【０１１９】  したがって、不十分な組成物は効果的な洗浄に提供されるか又は不必要に多量の組成物が提供されると、後者は処理された布地に長い乾燥時間をもたらし、又はそれでも残渣の可能性がある場合がある。さらには、貯蔵器に繋がる開口部又は経路は、その中に保存される組成物の揮発性化合物の蒸発を促進し、さらには布地処理アプリケータが輸送される際に、漏れを引き起こし得る。同様の不利益は、多孔質適用装置に関連する。したがって、本明細書に従って、ペン先は好ましくは３００μｍ未満の孔径を有する。本発明に従うペン先に存在するのに好ましい孔は、１μｍ〜２００μｍ、より好ましくは５μｍ〜１００μｍ、より好ましくは１０μｍ〜５０μｍの寸法を有する。
【０１２０】  好ましくは、ペン先は鋭い形状、最も好ましくは錐状又は楔形状を有する。錐状ペン先は、ペン先に損傷を起こさせずに、機械的な染み除去に有益であるとされる、より高濃度であって、それによってハウジングへのより安定して接近している比較的狭い域への加圧を可能とする。錐状又は楔型ペン先は、布地処理組成物に、布地の低湿潤及び低残渣に有益とされる小選択域での適用も可能とする。
【０１２１】  使用中に布地処理組成物のペン先への移動を可能とするために、ペン先は貯蔵器と直接又は間接的に接触すべきである。ペン先は、フェルト、連続気泡発泡体、閉鎖気泡発泡体、ポリエチレン、ナイロン等の任意の合成又は人工又は天然物質からなってよい。ペン先において好ましい物質はフェルトであり、最も好ましくは合成繊維から提供される。
【０１２２】  ハウジングに保持される間のペン先は、ハウジングの外部に区分を有し、この区分は好ましくは、長さで３．０ｃｍ〜０．１ｃｍ、より好ましくは１．０ｃｍ〜０．２５ｃｍ、最も好ましくは０．７５ｃｍ〜０．５ｃｍと測定される。
【０１２３】  接触域−以下のように測定される−適用装置と平坦表面との間は０．２５ｍｍ２〜４００ｍｍ２、より好ましくは１ｍｍ２〜１００ｍｍ２、最も好ましくは４ｍｍ２〜１０ｍｍ２である。このような接触域は、最適な機械的な染み除去を確実にし、布地処理組成物の小選択域への適用を可能とする。
【０１２４】  本発明による好ましい適用装置も特定の移動容積効率を示す。−以下に記載のように測定する。移動容積効率は、布地に移動される流体量（ｍｌ）の域単位当たりの時間単位（ｓ−１ｍｍ−２）で定義する。正しい移動容積効率は、十分であるが多すぎない量の布地処理組成物が、十分な定流速での利益及びさらにはペン先（１０）又は貯蔵器の使用の際の乾燥を防ぐ利益を提供する。移動容積効率は好ましくは０．０００５ｍｌ−２ｓ−１〜０．１ｍｌｍｍ−２ｓ−１及びより好ましくは０．００１ｍｌｍｍ−２ｓ−１〜０．０１ｍｌｍｍ−２ｓ−１である。
【０１２５】  アプリケータも組成物の蒸発、使用しない際の目的物の伴わない適用装置のいかなる接触を防ぐためのキャップを含んでよい。
【０１２６】  適用方法
本明細書に開示される任意の組成物の使用はアプリケータ自体に依存し、アプリケータが使用される目的にも依存する。
【０１２７】  本明細書に開示される組成物は、ヒトの体、とりわけ布地によって包含されるすべてに直接又は間接的に接する物質の任意の表面上の使用に指図される。これらの表面は典型的には、柔らかいプラスチック物質、革及び織物布地のような物質に含まれる柔らかい表面である。すなわち織物布地は、シャツ、タイ、ブラウス、靴下、スカート、ズボン、ジャケット、下着、時計のストラップ等を包含する衣類において見られる。
【０１２８】  さらには、これらの組成物はカーペット、カーテン又は室内装飾材料等に含まれる布地に使用され得る。
【０１２９】  ハウジング及び適用装置を含む布地処理アプリケータにおいて、適用装置を覆うキャップを、存在する場合、適用前に取り除く。次に、適用装置を布地の選択域に接触するように運ぶ。いくつかの適用装置においては、アプリケータから組成物を放出するために圧力の付加が必要となる。この目的の為に最初に必要とされる圧力は、組成物が常に流れることを確実とするのに必要な圧力より高い。選択された適用域を越える適用装置の拭い取り又はさもなければ移動は、この域の全部分に組成物を提供するためにも必要とされ、及び均一な組成物への適用を助ける。摩擦、つまり布地に対して圧力を付加する際の拭い取りは、染みの機械的除去において役立つ。
【０１３０】  本明細書に開示される任意の組成物適用は、より幅広い布地処理における１段階になり得る。処理は、例えば、ナプキン等を伴う食物のような物質を包含する大量の染みの除去のような準備段階を含む。
【０１３１】  しかしながら、本発明によるアプリケータによって実行される染み除去処理は、染みの除去における濯ぎ段階を含まない。本明細書に開示される布地処理アプリケータは、水溶性のものを包含する任意の染みの除去においてきわめて効果的であるので、濯ぎ工程は必要とされない。さらには、流水のもと又は湿潤布を伴う布地の後処理は、開示された適用装置による任意の染みの効果的で機械的な除去、及び残渣がないこと、使用される化学組成物による布地に優しい処理によって、残渣を残さないためとしても、又は染みの機械的な除去も必要としない。
【０１３２】  さらには、本明細書に開示される組成物は迅速な乾燥を促進し、及び本明細書に開示されるアプリケータは小さな域への少量の布地処理組成物の適用を可能とするため、乾燥段階のような付加段階は通常必要ない。
【０１３３】  試験方法
乾燥除去試験
専門家パネルアシスタントが目視等級分けを行う。したがって、このような１つの試験において、布地の見本は反応染料、硫黄染料、バット染料、直接染料及びアゾ染料のような代表的な染料の部類からの染料によって個別に染められる。布地の見本を各部類からの染料で調製する。各見本内の測定された域を布地処理組成物によって処理し、乾燥を可能とする。処理見本における任意の染料除去は、見本の処理域と周囲の見本の非処理域とを比較することで視覚的に評価する。以下の範囲の数単位において：（０）は「布地双方に違いが見受けられない」、（１）は「違いがあるように感じる」、（２）は「確実に違いがある」、（３）は「大きな違いがある」、（４）は「著しい違いがある」とパネリストに評価される。試験は各見本において３回繰り返し、平均値を計算する。
【０１３４】  摩擦応力の測定
適用装置をプリント二軸往復リグ（モデルＴＥ７５Ｒ、ＭＲＰＲＡラバーコンサルタンツ（MRPRA RUBBER CONSULTANTS）等）の負荷アームにクランプする。布地処理アプリケータの接触表面への角度は接触域を最大化するように調整する。布地処理アプリケータの垂直軸（布地処理アプリケータの主要部中心の接触域への結合線を垂直軸と定義する）と４５°未満の接触表面の角度との間の角度における接触表面に関する布地処理アプリケータの角度は考慮されない（それらは典型的に消費者にとって好ましい適用方法ではない為）。クランプ配置は、消費者に３Ｎの適用装置上における現実垂直荷重を提供する。次に、両側が平坦なアルミニウム板に接着している２ｍｍ厚のシートの柔らかいラバーによって提供される、柔らかい逆表面に載置される男性用シャツに用いられるとき、適用装置と１００％綿の布地摩擦係数を測定する。適用装置は、実施例１で与えられる組成物を使用して湿潤性を測定する。摩擦係数は、１ｍｍｓ−１の速度で順方向及び逆方向の双方において２０ｍｍにわたって４回横断させ、中央の１０ｍｍにわたって測定し、平均値を計算する。最終の測定位置における適用装置の測定は、再現性をチェックする為に３回繰り返す。
【０１３５】  接触域の測定
適用装置の接触域の測定は、乾燥適用装置を含み、処理組成物を含まない布地処理アプリケータによって実行される。乾燥適用装置は、インクスタンプパッドを圧し、及び次に布地処理アプリケータをプリント二軸往復リグ（モデルＴＥ７５Ｒ、ＭＲＰＲＡラバーコンサルタンツ（MRPRA RUBBER CONSULTANTS）等）の負荷アームにクランプすることによってインク付けする。適用装置の接触域の代表である接触表面の印は、プリント負荷アームの調整された低下及び向上によって得られ、接触域から離される。布地処理アプリケータの接触表面への角度を接触域を最大化するように調整する。布地処理アプリケータの垂直軸（上述で定義）と４５°未満の接触表面の角度との間の角度における接触表面に関する布地処理アプリケータの角度は考慮されない（それらは典型的に消費者にとって好ましい適用方法ではない為）。接触時間は、３Ｎ負荷が適用装置に適用されている間、およそ１秒であるべきである。次に、抗視線を有する拡大レンズを使用して、印の長さ及び幅の平均から接触域を計算する。最終の測定位置における適用装置の測定は、再現性をチェックする為に３回繰り返す。
【０１３６】  移動容積効率の測定
適用装置を標準の液体（用）容器（コーニング（Corning）社の２５３３０−５０番から入手可能な５０ｍｌ遠心管チューブ等）の底面にしっかりと挿入する。配置の確実性を確かなものにするために、適用装置が挿入されるオリフィスの寸法を適用装置及び使用されるシリコーンを基にした封止剤の寸法に切除する。次にこの単位を、コンプレッサユニット（リロイド（Lloyd）ＬＲ５Ｋ圧縮メーター等）の下に配置しクランプする。この配置は、消費者に現実の３Ｎの視覚負荷を提供する。適用装置を、綿毛パルプ基層上の２成分構成の合成繊維最上層に含まれる吸収パッドに接触するように載置する。このパッドは、濃度勾配を削減し、それによって流出が削減しないために移動点からの迅速な移送を可能とする。次に、容器を２０ｍｌの染み除去溶液（実施例１）で充填する。単位時間当たりに流れる流体量を、固定された期間を超えた貯蔵器からの流体の損失を示すことで測定する。次に、移動容積効率を、適用装置と布地との間の接触（ｍｍ２）の総表面積に関して流速を標準化することで計算する。測定は、再現性をチェックする為に３回繰り返す。